【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
被写体を撮影して得られた放射線画像をフィルムに出力する機能を備えた医用画像システムにおける画像出力制御方法であって、
前記放射線画像のサイズ、前記放射線画像の読影向き及び１枚のフィルムに記録する前記放射線画像の駒数を入力パラメータとして、予め定められた手順に従って、１駒又は複数駒の前記放射線画像を記録する前記フィルムのサイズ、前記フィルムの向き及び複数駒の前記放射線画像を記録する場合における前記フィルムの分割方向を自動的に設定し、
前記フィルムサイズの設定に際して、
１駒の前記放射線画像又は配列された複数駒の前記放射線画像全体の短辺（ａ）及び長辺（ｂ）を取得する第１のステップと、
プリンタに装填されているフィルムの内、最小サイズのフィルムを選択する第２のステップと、
選択された前記フィルムの短辺（ａ’）及び長辺（ｂ’）を取得する第３のステップと、
ａとａ’、ｂとｂ’とを各々比較し、ａ’≧ａ、かつ、ｂ’≧ｂの関係を満足するか否かを判定する第４のステップと、
前記関係を満足する場合は前記選択されたフィルムを前記１駒又は複数駒の放射線画像を記録するフィルムとして特定し、前記関係を満足しない場合は次に大きいサイズのフィルムを選択して前記第３のステップ以降を実行する第５のステップと、を実行することを特徴とする画像出力制御方法。
【請求項２】
前記放射線画像が２駒の場合は、該２駒の放射線画像各々の読影方向を維持しながら左右方向に配列した場合と上下方向に配列した場合の双方に対して、前記フィルムの特定を行い、特定された２つのフィルムのサイズが異なる場合は、小さいサイズのフィルムを前記２駒の放射線画像を記録するフィルムとして特定すると共に、前記放射線画像の配列方向に従って前記フィルムの分割方向を設定し、
前記放射線画像が４駒の場合は、該４駒の放射線画像各々の読影方向を維持しながら２行２列に配列した画像全体に対して出力するフィルムを特定することを特徴とする請求項１記載の画像出力制御方法。
【請求項３】
前記フィルムの向きの設定に際し、
前記特定されたフィルムの中の１駒の前記放射線画像が記録される領域の縦横比と、前記読影向きにおける前記放射線画像の縦横比とを比較し、該縦横比の差を用いてフィルムの向きを設定することを特徴とする請求項１又は２に記載の画像出力制御方法。
【請求項４】
前記放射線画像が１駒の場合は、前記特定されたフィルム全体の縦横比と、前記読影向きにおける該１駒の前記放射線画像の縦横比とを比較してフィルムの向きを設定し、
前記放射線画像が２駒の場合は、前記特定されたフィルムを縦向きにした場合の１／２の領域の縦横比と、該１／２の領域に記録される前記読影向きにおける１駒の前記放射線画像の縦横比とを比較すると共に、前記特定されたフィルムを横向きにした場合の１／２の領域の縦横比と、該１／２の領域に記録される前記読影向きにおける１駒の前記放射線画像の縦横比とを比較して、該縦横比の差の合計が少ない方をフィルムの向きとして設定し、
前記放射線画像が４駒の場合は、前記特定されたフィルムを縦向きにした場合の１／４の領域の縦横比と、該１／４の領域に記録される前記読影向きにおける１駒の前記放射線画像の縦横比とを比較すると共に、前記特定されたフィルムを横向きにした場合の１／４の領域の縦横比と、該１／４の領域に記録される前記読影向きにおける１駒の前記放射線画像の縦横比とを比較して、縦横比の差の合計が少ない方をフィルムの向きとして設定することを特徴とする請求項３記載の画像出力制御方法。
【請求項５】
被写体を撮影して得られた放射線画像をフィルムに出力する機能を備えた医用画像システムで動作させる画像出力制御プログラムであって、
コンピュータを、
前記放射線画像のサイズ、前記放射線画像の読影向き及び１枚のフィルムに記録する前記放射線画像の駒数を入力パラメータとして、予め定められた手順に従って、１駒又は複数駒の前記放射線画像を記録する前記フィルムのサイズ、前記フィルムの向き及び複数駒の前記放射線画像を記録する場合における前記フィルムの分割方向を自動的に設定する画像出力制御手段として機能させ、
前記画像出力制御手段は、前記フィルムサイズの設定に際し、
１駒の前記放射線画像又は配列された複数駒の前記放射線画像全体の短辺（ａ）及び長辺（ｂ）を取得する第１の処理と、
プリンタに装填されているフィルムの内、最小サイズのフィルムを選択する第２の処理と、
選択された前記フィルムの短辺（ａ’）及び長辺（ｂ’）を取得する第３の処理と、
ａとａ’、ｂとｂ’とを各々比較し、ａ’≧ａ、かつ、ｂ’≧ｂの関係を満足するか否かを判定する第４の処理と、
前記関係を満足する場合は前記選択されたフィルムを前記１駒又は複数駒の放射線画像を記録するフィルムとして特定し、前記関係を満足しない場合は次に大きいサイズのフィルムを選択して前記第３の処理以降を実行する第５の処理とを実行することを特徴とする画像出力制御プログラム。
【請求項６】
前記画像出力制御手段は、
前記放射線画像が２駒の場合は、該２駒の放射線画像各々の読影方向を維持しながら左右方向に配列した場合と上下方向に配列した場合の双方に対して、前記フィルムの特定を行い、特定された２つのフィルムのサイズが異なる場合は、小さいサイズのフィルムを前記２駒の放射線画像を記録するフィルムとして特定すると共に、前記放射線画像の配列方向に従って前記フィルムの分割方向を設定し、
前記放射線画像が４駒の場合は、該４駒の放射線画像各々の読影方向を維持しながら２行２列に配列した画像全体に対して出力するフィルムを特定する制御を行うことを特徴とする請求項５記載の画像出力制御プログラム。
【請求項７】
前記画像出力制御手段は、前記フィルムの向きの設定に際し、
前記特定されたフィルムの中の１駒の前記放射線画像が記録される領域の縦横比と、前記読影向きにおける前記放射線画像の縦横比とを比較し、該縦横比の差を用いてフィルムの向きを設定する制御を行うことを特徴とする請求項５又は６に記載の画像出力制御プログラム。
【請求項８】
前記画像出力制御手段は、
前記放射線画像が１駒の場合は、前記特定されたフィルム全体の縦横比と、前記読影向きにおける該１駒の前記放射線画像の縦横比とを比較してフィルムの向きを設定し、
前記放射線画像が２駒の場合は、前記特定されたフィルムを縦向きにした場合の１／２の領域の縦横比と、該１／２の領域に記録される前記読影向きにおける１駒の前記放射線画像の縦横比とを比較すると共に、前記特定されたフィルムを横向きにした場合の１／２の領域の縦横比と、該１／２の領域に記録される前記読影向きにおける１駒の前記放射線画像の縦横比とを比較して、該縦横比の差の合計が少ない方をフィルムの向きとして設定し、
前記放射線画像が４駒の場合は、前記特定されたフィルムを縦向きにした場合の１／４の領域の縦横比と、該１／４の領域に記録される前記読影向きにおける１駒の前記放射線画像の縦横比とを比較すると共に、前記特定されたフィルムを横向きにした場合の１／４の領域の縦横比と、該１／４の領域に記録される前記読影向きにおける１駒の前記放射線画像の縦横比とを比較して、縦横比の差の合計が少ない方をフィルムの向きとして設定する制御を行うことを特徴とする請求項７記載の画像出力制御プログラム。
【手続補正２】
【補正対象書類名】明細書
【補正対象項目名】００１４
【補正方法】変更
【補正の内容】
【００１４】
上記目的を達成するため、本発明の画像出力制御方法は、被写体を撮影して得られた放射線画像をフィルムに出力する機能を備えた医用画像システムにおける画像出力制御方法であって、前記放射線画像のサイズ、前記放射線画像の読影向き及び１枚のフィルムに記録する前記放射線画像の駒数を入力パラメータとして、予め定められた手順に従って、１駒又は複数駒の前記放射線画像を記録する前記フィルムのサイズ、前記フィルムの向き及び複数駒の前記放射線画像を記録する場合における前記フィルムの分割方向を自動的に設定し、前記フィルムサイズの設定に際して、１駒の前記放射線画像又は配列された複数駒の前記放射線画像全体の短辺（ａ）及び長辺（ｂ）を取得する第１のステップと、プリンタに装填されているフィルムの内、最小サイズのフィルムを選択する第２のステップと、選択された前記フィルムの短辺（ａ’）及び長辺（ｂ’）を取得する第３のステップと、ａとａ’、ｂとｂ’とを各々比較し、ａ’≧ａ、かつ、ｂ’≧ｂの関係を満足するか否かを判定する第４のステップと、前記関係を満足する場合は前記選択されたフィルムを前記１駒又は複数駒の放射線画像を記録するフィルムとして特定し、前記関係を満足しない場合は次に大きいサイズのフィルムを選択して前記第３のステップ以降を実行する第５のステップと、を実行するものである。
【手続補正３】
【補正対象書類名】明細書
【補正対象項目名】００１５
【補正方法】変更
【補正の内容】
【００１５】
本発明においては、前記放射線画像が２駒の場合は、該２駒の放射線画像各々の読影方向を維持しながら左右方向に配列した場合と上下方向に配列した場合の双方に対して、前記フィルムの特定を行い、特定された２つのフィルムのサイズが異なる場合は、小さいサイズのフィルムを前記２駒の放射線画像を記録するフィルムとして特定すると共に、前記放射線画像の配列方向に従って前記フィルムの分割方向を設定し、前記放射線画像が４駒の場合は、該４駒の放射線画像各々の読影方向を維持しながら２行２列に配列した画像全体に対して出力するフィルムを特定する構成とすることができる。
【手続補正４】
【補正対象書類名】明細書
【補正対象項目名】００１７
【補正方法】変更
【補正の内容】
【００１７】
また、本発明のプログラムは、被写体を撮影して得られた放射線画像をフィルムに出力する機能を備えた医用画像システムで動作させる画像出力制御プログラムであって、コンピュータを、前記放射線画像のサイズ、前記放射線画像の読影向き及び１枚のフィルムに記録する前記放射線画像の駒数を入力パラメータとして、予め定められた手順に従って、１駒又は複数駒の前記放射線画像を記録する前記フィルムのサイズ、前記フィルムの向き及び複数駒の前記放射線画像を記録する場合における前記フィルムの分割方向を自動的に設定する画像出力制御手段として機能させ、前記画像出力制御手段は、前記フィルムサイズの設定に際し、１駒の前記放射線画像又は配列された複数駒の前記放射線画像全体の短辺（ａ）及び長辺（ｂ）を取得する第１の処理と、プリンタに装填されているフィルムの内、最小サイズのフィルムを選択する第２の処理と、選択された前記フィルムの短辺（ａ’）及び長辺（ｂ’）を取得する第３の処理と、ａとａ’、ｂとｂ’とを各々比較し、ａ’≧ａ、かつ、ｂ’≧ｂの関係を満足するか否かを判定する第４の処理と、前記関係を満足する場合は前記選択されたフィルムを前記１駒又は複数駒の放射線画像を記録するフィルムとして特定し、前記関係を満足しない場合は次に大きいサイズのフィルムを選択して前記第３の処理以降を実行する第５の処理とを実行するものである。